(57)【要約】【課題】  レーザビームの位置調整機構を高分解能化することにより、高画質化と小型化を同時に実現する光書込み装置および画像形成装置を提供することを課題とする。    【解決手段】  ＬＤホルダ４２の、２個のＬＤ４１の中間点を中心とした回転方向動作を、クサビ部材４５で実現することで、レーザビーム位置の微調整を行う。ＬＤホルダ４２の回転量とクサビ部材４５移動量の関係は、クサビ角度により任意に変更できるため、微小な回転方向の移動に対してもＬＤホルダ４２を大型化することなくレーザビームの位置調整機構を高分解能化することができる。  【選択図】      図２
2005231281.tif 000002
【特許請求の範囲】
【請求項１】
複数個のＬＤと、ポリゴンモータと、ポリゴンモータおよび結像レンズを
収容するケーシングからなる光書込み装置において、
ＬＤから照射されるレーザビームの、像担持体上の結像位置を調整するＬＤホルダー回転機構の回転位置調整部材がクサビ形状となっている
ことを特徴とする光書込み装置。
【請求項２】
請求項１に記載の光書込み装置において、
前記光書込み装置は、クサビ形状が円弧状となっている
ことを特徴とする光書込み装置。
【請求項３】
請求項１または２に記載の光書込み装置において、
前記光書込み装置は、クサビ嵌合部を材料の弾性を利用した保持方法とする
ことを特徴とする光書込み装置。
【請求項４】
光書込み装置により潜像担持体上に形成された静電潜像をトナーで可視化する画像形成装置において、
前記画像形成装置は、請求項１ないし３のいずれかに記載の光書込み装置を備える
ことを特徴とする画像形成装置。
【発明の詳細な説明】
【技術分野】
【０００１】
本発明は、複写機、プリンタ、ＦＡＸ等の静電潜像を形成するためのレーザビームの光書込装置およびこれを有する画像形成装置に関する。
【背景技術】
【０００２】
画像形成装置の高画質化の要求に伴い、光書込み装置による像担持体上のビームスポット径は小さくなる傾向にある。それに伴い、特にカラー画像の形成時における各色の画像の重ね合わせ精度について、高い精度が要求されるようになってきた。重ね合わせ精度が不足すると、形成画像の形状および色の再現性の低下など、画像劣化の問題があった。
【０００３】
これに対し、特許文献１では、図４及び第１３欄に、「クサビ型基板２２を動かすことにより、上下の基板２１、２３の位置が移動し、レーザチップ２４の発光点の位置ズレや発光方向のズレを調整できる」ことが記載されている。しかし、特許文献１については、ＬＤそのものを移動させてレーザビーム位置を調整する機構であり、複数個のレーザビーム間隔を調整する機構とはなっていない。
【０００４】
また、特許文献２の図１には「取付座面１２ｄからの高さを調整可能にするくさび状のスペーサ１４」が開示されており、第４４欄に「スペーサ１４を摺動させる案内面は、光学箱１０側に設けてもよい」ことが記載されており、クサビ機構により走査ビームの傾きを調整する方式が記載されているが、これも複数個のレーザビーム間隔を調整する機構とはなっていない。
【０００５】
また、複数個のレーザビーム間隔を調整する機構として、従来、ＬＤホルダ全体を回転させて微調整を行う方式があるが、ビームスポットの小径化に対応するための、微小なレーザビーム位置の調整を行うためには、装置の大型化という問題点がある。そして、小型化を維持しようとした場合は、調整精度不足により、形成画像の悪化の原因となる。
【特許文献１】特開平０５−８２９０５号公報
【特許文献２】特開２０００−２４９９５３号公報
【発明の開示】
【発明が解決しようとする課題】
【０００６】
上記問題点に鑑み、本発明は、調整機構の高分解能化により、高画質化と小型化を同時に実現する光書込み装置および画像形成装置を提供することを課題とする。      
【課題を解決するための手段】
【０００７】
上記課題を解決するために、本発明は、以下の特徴を有している。
請求項１に記載の光書込み装置では、複数個のＬＤと、ポリゴンモータと、ポリゴンモータおよび結像レンズを収容するケーシングからなる光書込み装置において、前記光書込み装置は、ＬＤから照射されるレーザビームの、像担持体上の結像位置を調整するＬＤホルダー回転機構の回転位置調整部材がクサビ形状となっていることを特徴とする。
請求項２に記載の光書込み装置では、さらに、前記光書込み装置は、クサビ形状が円弧状となっていることを特徴とする。
請求項３に記載の光書込み装置では、さらに、前記光書込み装置は、クサビ嵌合部を材料の弾性を利用した保持方法とすることを特徴とする。
請求項４に記載の画像形成装置では、光書込み装置により潜像担持体上に形成された静電潜像をトナーで可視化する画像形成装置において、前記画像形成装置は、請求項１ないし３のいずれかに記載の光書込み装置を備えることを特徴とする。
【発明の効果】
【０００８】
以上説明したように、上記解決するための手段により、本発明の光書込み装置および画像形成装置では、複数個のレーザビームの結像位置を調整する機構の分解能を高めることにより、装置の高画質化と小型化を同時に実現する。
さらに、本発明の光書込み装置および画像形成装置では、部品点数を削減し、コストダウン、組立性の向上を実現する。
【発明を実施するための最良の形態】
【０００９】
以下に本発明の実施の形態を図面に基づいて説明する。
図１は、従来技術による光書き込み装置のレーザビーム位置調整機構の概略構成図である。
従来光書込み装置において、像担持体上の結像位置の副走査方向の間隔を調整し、適切な初期状態（例：６００ｄｐｉの場合４２．３μｍ間隔）とする必要があり、従来技術としては、本図に示すネジを利用した送り機構がある。
図１で２個のレーザダイオード（以下ＬＤ）４１は、ＬＤホルダ４２に固定され、ＬＤホルダ４２は、オプティカルハウジングとの連結部材４３もしくはオプティカルハウジングに直接取付けられ、２個のＬＤ４１の中央を中心として回転可能な構成で取付けられている。
このとき調整ネジ４４を回転させることで、ＬＤホルダ４２は鉛直方向（矢印）に前記２個のＬＤ４１の中央を中心として回転し、結果として像担持体上のレーザビームの結像位置を調整する。具体的には、２個のＬＤ４１のビームスポット間隔を調整する。
ＬＤホルダ４２が２個のＬＤ４１の中央を中心として回転すると、左右のＬＤ４１の鉛直方向の間隔が変化し、これが像担持体２上でビームスポットの副走査方向（円周方向）の間隔変化として現れるため、上記方法でビームスポット間隔を調整することができる。
【００１０】
ここで、レーザビームの移動量は調整ネジ４４の回転量により決定されるが、高画質化を達成するためのレーザビームの小径化に対応して微小なレーザビーム位置の調整を行うためには、調整ネジ４４の単位回転量に対しビーム移動量（ＬＤホルダ４２の回転角度）を小さくする必要がある。
しかし、そのためには調整ネジ４４と前記回転運動の中心との間隔を大きくする必要があり、結果として装置の大型化を招く。あるいは小型化を維持しようとした場合の調整精度不足により、形成画像の悪化の原因となる。
【００１１】
図２は、本発明による光書き込み装置のレーザビーム位置調整機構の概略構成図である。
ＬＤホルダ４２の回転方向位置調整を、図１の調整ネジ４４の替わりにクサビ部材４５で行う方式としたものである。ＬＤホルダ４２の回転量とクサビ部材４５移動量の関係は、クサビ角度により任意に変更できるため、微小な回転方向の移動に対してもＬＤホルダ４２を大型化することなく調整できる。
【００１２】
図３は、レーザビーム位置調整機構でＬＤホルダ４２の回転方向位置調整に用いる円弧状のクサビ部材の模式図である。
本発明の円弧状のクサビ部材４６にすることで、図２の構成でクサビ角度を小さくし、より微小な調整を可能とする場合に、クサビが長くなり部品配置に制約を生じる点を改善し、装置の小型化を実現する。
【００１３】
図４は、クサビ部材とＬＤホルダーとの嵌合部の断面を模式的に表した図である。
図２、図３に示す本発明のクサビ部材４５または円弧状クサビ部材４６（以下単にクサビ部材と記す。）とＬＤホルダ４２の取付け部分を、ＬＤホルダ４２の材料の弾性を利用した保持方法とすることで、保持部材もしくは締結部材を廃し、部品点数の削減および組付け性の向上を実現する。
ＬＤホルダー４２のクサビ部材取付け部分に図４に示す様に２箇所に穴を設けておく。上方の穴はクサビ部材の挿入用であり、クサビ部材の厚みより若干小さい寸法で形成する。下方の穴は、上方の穴との間のアーチ状の部分が、クサビ部材が押し込まれた際に撓んでＬＤホルダー４２の材料の弾性力によりクサビ部材を保持することで、ＬＤホルダー４２の位置ズレを防止する。これにより、クサビ部材保持のためにネジ等の別部品を追加する必要がないため、部品点数削減、コストダウンが達成できる。図４の方式とした場合は、図３に示すＬＤホルダー４２の位置ズレ防止用のバネ４７も不要となる。さらに、ネジ組立でなく、挿入工程のみであるため組立も容易になる。
【００１４】
図５は、本発明の光書き込み装置を搭載した画像形成装置の一実施例を示す概略構成図である。
本発明の画像形成装置１では、図２ないし４に示す光書き込み装置４を搭載することにより、複数個のレーザビームの結像位置間隔を高い分解能で調整できるため、装置の高画質化と小型化を同時に実現することができる。また、部品点数を削減し、コストダウン、組立性の向上を実現する。
【図面の簡単な説明】
【００１５】
【図１】従来技術による光書き込み装置のレーザビーム位置調整機構の概略構成図である。
【図２】本発明による光書き込み装置のレーザビーム位置調整機構の概略構成図である。
【図３】ＬＤホルダーの回転方向位置調整に用いる円弧状のクサビ部材の模式図である。
【図４】クサビ部材とＬＤホルダーとの嵌合部の断面を模式的に表した図である。
【図５】本発明の光書込み装置が組み込まれる画像形成装置の一実施例を示す概略構成図である。
【符号の説明】
【００１６】
１  画像形成装置
２  像担持体
３  帯電手段
４  光書込み装置
５  現像手段
６  転写手段
７  クリーニング手段
４１  ＬＤ
４２  ＬＤホルダー
４３  ＬＤホルダー取付け部材
４４  調整ネジ
４５  クサビ部材
４６  円弧状クサビ部材
４７  バネ
【図１】
2005231281.tif 000003
【図２】
2005231281.tif 000004
【図３】
2005231281.tif 000005
【図４】
2005231281.tif 000006
【図５】
2005231281.tif 000007